(57)【要約】【課題】柱に設置する足場の高さを比較的自由に選択可能とする足場構造を提供する。【解決手段】足場構造１は、建物の鉄骨柱３に固定される下部バンド金具５と、下部バンド金具５によって支持され、上方に延設されるサポート材７と、サポート材７によって下方から支持される上部バンド金具９と、上部バンド金具９に係止されるステージ材１１と、を備える。【選択図】図１
2014201952.tif 000002
【特許請求の範囲】
【請求項１】
建物の鉄骨柱に固定される受け金具と、
前記受け金具によって支持され、上方に延設されるサポート材と、
前記サポート材によって下方から支持されるバンド金具と、
前記バンド金具に係止されるステージ材と、を備える足場構造。
【請求項２】
前記受け金具と、前記バンド金具とが、同一構成である請求項１に記載の足場構造。
【請求項３】
前記バンド金具は、締結部材又はヒンジによって互いに連結された複数の金具部品を備え、前記鉄骨柱の側方から着脱自在である請求項１又は２に記載の足場構造。
【請求項４】
前記鉄骨柱は角型鋼管であり、
前記サポート材は、前記鉄骨柱の角部に沿うＬ型断面を有し鉛直方向に延在するアングル材を含む請求項１〜３の何れか１項に記載の足場構造。
【請求項５】
前記サポート材は、長手方向の端部に設けられた嵌合片を有しており、
前記鉄骨柱の角部と前記バンド金具の角部との間に形成された空隙部に前記嵌合片が挿入される請求項４に記載の足場構造。
【発明の詳細な説明】
【技術分野】
【０００１】
本発明は、足場構造に関するものである。
【背景技術】
【０００２】
従来、このような分野の技術として、下記特許文献１に記載の足場構造が知られている。この足場構造は、コラム柱に予め留め具を設けて用いられる構造であり、足場材は、上記留め具に係脱可能な係合ピンを有する扁平形状の足場本体と、足場本体から下方に延びる支持脚機構と、支持脚機構の下部に設けられ係合ピンが留め具に係合した状態のもとでコラム柱に当接する当て板とを備えるものである。
【先行技術文献】
【特許文献】
【０００３】
【特許文献１】特開２００９−９７１４９号公報
【発明の概要】
【発明が解決しようとする課題】
【０００４】
しかしながら、この足場構造における足場材は、コラム柱に対して止め具が予め設置された場所にのみ設置可能なものであり、足場を設ける高さを自由に選択することはできない。この問題に鑑み、本発明は、柱に設置する足場の高さを比較的自由に選択可能とする足場構造を提供することを目的とする。
【課題を解決するための手段】
【０００５】
本発明の足場構造は、建物の鉄骨柱に固定される受け金具と、受け金具によって支持され、上方に延設されるサポート材と、サポート材によって下方から支持されるバンド金具と、バンド金具に係止されるステージ材と、を備える。
【０００６】
この足場構造によれば、ステージ材が、受け金具から上方に延設されたサポート材を介して支持されるので、受け金具よりも高い位置にステージ材を設置することができる。また、サポート材の長さを選択することにより、ステージ材の上下位置を変更することができるので、比較的自由な高さにステージ材を設置することができる。
【０００７】
また、受け金具と、バンド金具とが、同一構成であることとしてもよい。この構成によれば、受け金具にもバンド金具と同じようにステージ材を支持させることができるので、異なる高さに２段階でステージ材を設置することができ、現場作業性が向上する。また、受け金具とバンド金具との部品共通化を図ることもできる。
【０００８】
また、バンド金具は、締結部材又はヒンジによって互いに連結された複数の金具部品を備え、鉄骨柱の側方から着脱自在であることとしてもよい。この構成によれば、鉄骨柱に既に梁が接合されている場合などであっても、バンド金具を、鉄骨柱の側方に外したり、側方から取り付けたりすることができる。
【０００９】
具体的には、鉄骨柱は角型鋼管であり、サポート材は、鉄骨柱の角部に沿うＬ型断面を有し鉛直方向に延在するアングル材を含むこととしてもよい。サポート材のＬ型断面を角型鋼管の角部に沿うように設置することで、サポート材が安定して設置され、鉄骨柱の側方へのサポート材の出っ張りも抑えることができる。
【００１０】
また、サポート材は、長手方向の端部に設けられた嵌合片を有しており、鉄骨柱の角部とバンド金具の角部との間に形成された空隙部に嵌合片が挿入されることとしてもよい。この構成によれば、鉄骨柱の角部とバンド金具の角部との間に形成された空隙部を利用することで、嵌合片を嵌合させるための部位をバンド金具に別途設ける必要がない。
【発明の効果】
【００１１】
本発明によれば、柱に設置する足場の高さを比較的自由に選択可能とする足場構造を提供することができる。
【図面の簡単な説明】
【００１２】
【図１】本発明の足場構造の一実施形態を示す斜視図である。
【図２】図１の足場構造の分解斜視図である。
【図３】図１におけるIII-III断面図である。
【図４】（ａ），（ｂ）は、図１の足場構造１を用いた柱、梁等の施工方法を示す図である。
【図５】バンド金具の変形例を示す平面図である。
【発明を実施するための形態】
【００１３】
以下、図面を参照しつつ本発明に係る足場構造の一実施形態について詳細に説明する。
【００１４】
図１〜図３に示す足場構造１は、例えば、２〜４階建ての鉄骨造の住宅等に好適に適用される。この建物が備える鉄骨柱３は、例えば１辺約150mmの正方形断面をなす角形鋼管からなる。鉄骨柱３の対向する二つの側面には、所定の高さの位置において、後述する貫通ボルト３ｂを水平に貫通させるためのボルト穴３ａ（図３）が形成されている。
【００１５】
本実施形態の足場構造１は、鉄骨柱３に固定される下部バンド金具（受け金具）５と、下部バンド金具５によって支持され、鉛直上方に延設されるサポート材７と、サポート材７によって下方から支持される上部バンド金具（バンド金具）９と、上部バンド金具９に係止されるステージ材１１と、を備えている。下部バンド金具５、サポート材７、上部バンド金具９、及びステージ材１１は、すべて金属材料からなる。
【００１６】
下部バンド金具５は、一対の同一形状のバンド金具部品（金具部品）２１を有している。１つのバンド金具部品２１は、鉄骨柱３の２つの側面に当接するように直角に屈曲している。バンド金具部品２１の両端にはボルト穴が形成されており、鉄骨柱３を挟んで対面させた２つのバンド金具部品２１同士の両端が、ボルト２３及びナット２５（締結部材）により鉄骨柱３の両対角の位置で締結されることで、鉄骨柱３の周囲に下部バンド金具５が巻き付けられている。更に、鉄骨柱３のボルト穴３ａを貫通する貫通ボルト３ｂ及びナット３ｃによって、下部バンド金具５全体が鉄骨柱３に固定されている。下部バンド金具５の４つの各側面部の上部中央には、ステージ材１１を引掛けるための係止部２７がそれぞれ設けられている。また、下部バンド金具５には、作業者の安全帯を止め付けたり、親綱やワイヤーロープを取り付けたりするためのループ部２９も設けられている。
【００１７】
図３に示されるように、バンド金具部品２１の屈曲部２１ａの内側面の曲率半径は、鉄骨柱３の角部３ｄの曲率半径よりも小さい。従って、下部バンド金具５及び上部バンド金具９を鉄骨柱３に取り付けた状態においては、屈曲部２１ａと角部３ｄとの間に空隙部Ｇが形成されている。
【００１８】
足場構造１では、２つのサポート材７が、鉄骨柱３の対角に位置する２つの角部３ｄにそれぞれ設置されている。サポート材７は、Ｌ型の水平断面を有するアングル材７ａと、そのアングル材７ａの上下両端部（長手方向両端部）において、角部内側に接合された丸棒材からなるピン（嵌合片）７ｂとを有している。アングル材７ａの長さは、例えば約350mmである。ピン７ｂは、アングル材７ａの上下両端面からそれぞれ上及び下に突出している。サポート材７は、アングル材７ａのＬ型断面を鉄骨柱３の角部３ｄに沿わせて鉛直方向に延在するように設置されている。そして、アングル材７ａの下端面が、下部バンド金具５の屈曲部２１ａの上端面に当接し、アングル材７ａの上端面が、上部バンド金具９の屈曲部２１ａの下端面に当接している。なお、アングル材７ａと下部バンド金具５、及びアングル材７ａと上部バンド金具９は、互いに当接しているのみであり、接合されているものではない。
【００１９】
更に、サポート材７の下部に位置するピン７ｂは、下部バンド金具５と角部３ｄとの間の空隙部Ｇに挿入されており、サポート材７の上部に位置するピン７ｂは、上部バンド金具９と角部３ｄとの間の空隙部Ｇに挿入されている。このように、サポート材７の上下のピン７ｂが各空隙部Ｇに嵌合することにより、サポート材７は、鉄骨柱３から側方に離間しない。
【００２０】
上部バンド金具９は、前述の下部バンド金具５と同一の構成であり、同一の形状・寸法を有しているので、下部バンド金具５と同一又は同様の構成に同一符号を付して、重複する説明を省略する。上部バンド金具９の取付け位置においては、鉄骨柱３にボルト穴３ａが存在していない。従って、上部バンド金具９は、下部バンド金具５とは異なり、貫通ボルトによる固定はされていない。よって、上部バンド金具９は、サポート材７によって下方から支持されることで、間接的に下部バンド金具５により支持されている。
【００２１】
また、上部バンド金具９の構造によれば、上部バンド金具９は、鉄骨柱３の上下端を経由して着脱する必要はなく、鉄骨柱３の側方から着脱自在である。具体的には、上部バンド金具９は、主に２つのバンド金具部品２１から構成されるので、ボルト２３及びナット２５による締結、或いは締結解除によって、鉄骨柱３に側方から取り付けることができ、或いは鉄骨柱３から側方に取り外すことができる。このような構成によれば、例えば、鉄骨柱３の上部に梁２（図１）が施工済みであっても、鉄骨柱３の側方から着脱自在にすることにより、上部バンド金具９及び下部バンド金具５を容易に鉄骨柱３に着脱することができる。
【００２２】
なお、上部バンド金具９を鉄骨柱３の側方に着脱するためには、必ずしも２つのバンド金具部品２１を分離する必要はない。例えば、一方の締結部のみボルト２３及びナット２５を外し、他方のボルト２３及びナット２５を緩め、当該他方のボルト２３周りに２つのバンド金具部品２１を捩ることで、上部バンド金具９を鉄骨柱３の側方から着脱することもできる。なお、下部バンド金具５も、同様にして、鉄骨柱３の側方から着脱自在である。
【００２３】
図２に示されるように、上部バンド金具９に取り付けられたステージ材１１は、鉄骨柱３の正方形断面の対角線方向に延びている。ステージ材１１は、水平な板状をなす踏板部４１と、踏板部４１の下面から鉄骨柱３に向けて斜め下方に延びる斜材４３とを有している。踏板部４１は、鉄骨柱３から例えば約450mmの長さで水平に延び、作業者が直接足を載せる部分である。踏板部４１の先端側には、鉄骨柱３の角部３ｄに沿うように平面視Ｌ字状に屈曲された当て材４５が設けられている。当て材４５の２つの先端下部には、下方に突出する爪４５ａがそれぞれ設けられている。これら２つの爪４５ａが、上部バンド金具９上の隣接する２つの係止部２７に、それぞれ挿入され引掛けられている。
【００２４】
なお、１つの係止部２７には２つの爪４５ａを挿入できるようになっているので、鉄骨柱３の隣接する２つの角部にそれぞれ１つずつステージ材１１を設置することもできる。この場合、上記２つの角部の間に位置する係止部２７に、２つの爪４５ａが挿入されることになる。
【００２５】
また、斜材４３の先端にも、平面視Ｌ字状に屈曲され鉄骨柱３の角部３ｄに当接する当て材４７が設けられている。踏板部４１に荷重が作用したときの踏板部４１の撓みが、斜材４３の存在により抑制される。すなわち、踏板部４１先端の当て材４５の２つの爪４５ａのそれぞれが、隣接する係止部２７に引掛けられ、当該係止部２７の下方において当て材４７が角部３ｄに押し当てられることにより、踏板部４１は水平な姿勢で固定されている。なお、図１及び図２に示す例のように、鉄骨柱３の角部３ｄ上にサポート材７が存在する場合には、当て材４７が当該サポート材７に当接する場合もある。
【００２６】
図に示すように、下部バンド金具５には、ステージ材１２を取り付けてもよい。ステージ材１２は、下部バンド金具５に取り付けられ水平な板状をなす踏板部５１と、踏板部５１の下面から鉄骨柱３に向けて斜め下方に延びる斜材５３とを有している。踏板部５１は、鉄骨柱３から水平に延び、作業者が直接足を載せる部分である。踏板部５１の先端側には、下方に延びる平板状の爪５５ａが設けられており、爪５５ａが下部バンド金具５の係止部２７に引掛けられている。
【００２７】
斜材５３の先端には、鉛直平面の先端面を有し鉄骨柱３の側面に当接する当て材５７が設けられている。踏板部５１に荷重が作用したときの踏板部５１の撓みが、斜材５３の存在により抑制される。このステージ材１２の踏板部５１は、鉄骨柱３の側面に直交する方向に延び、水平な姿勢で固定されている。なお、下部バンド金具５は、上部バンド金具９と同一の構成を有しているので、下部バンド金具５にステージ材１１を取り付けることもできる。また、上部バンド金具９にステージ材１２を取り付けることもできる。
【００２８】
続いて、上述した足場構造１の作用効果について説明する。
【００２９】
足場構造１によれば、ステージ材１１が、下部バンド金具５から上方に延設されたサポート材７を介して支持されるので、下部バンド金具５よりも高い位置にステージ材１１を設置することができる。また、サポート材７の長さを選択することにより、ステージ材１１の上下位置を変更することができるので、比較的自由な高さにステージ材１１を設置することができる。
【００３０】
従来であれば、足場が設置可能な高さ位置は、鉄骨柱に予め設けられた留め具の位置に限定されるので、自由な位置に足場を設置することができなかった。これに対し、足場構造１によれば、サポート材７の存在により、鉄骨柱３のボルト穴３ａの位置、すなわち受け金具の位置よりも高い位置にステージ材を設置することができる。また、サポート材７の長さを選択することにより、上部バンド金具９の位置、ひいてはステージ材１１の高さを自在に選択することができる。
【００３１】
また、下部バンド金具５と上部バンド金具９とが同一の構成であり、同一の形状・寸法を有しているので、下部バンド金具５にも上部バンド金具９と同じようにステージ材１１，１２を取り付けることができる。よって、異なる高さに２段階でステージ材１１，１２を設置することができ、現場作業性が向上する。また、下部バンド金具５と上部バンド金具９との部品共通化を図ることもできる。
【００３２】
また、下部バンド金具５及び上部バンド金具９は、鉄骨柱３の側方から着脱自在であるので、鉄骨柱３に既に梁２が接合されている場合などであっても、下部バンド金具５及び上部バンド金具９を、鉄骨柱３の側方に外したり、側方から取り付けたりすることができる。
【００３３】
また、サポート材７のＬ型断面を鉄骨柱３の角部３ｄに沿うように設置することで、サポート材７が安定して設置され、鉄骨柱３の側方へのサポート材７の出っ張りも抑えることができる。
【００３４】
また、サポート材７のピン７ｂが空隙部Ｇに挿入される構造により、ピン７ｂを嵌合させるための部位を下部バンド金具５及び上部バンド金具９に別途設ける必要がない。
【００３５】
続いて、図４を参照しながら、足場構造１を用いた鉄骨柱３及び梁２の施工方法について説明する。ここでは、建物の１階柱、梁、及び２階柱の施工方法を一例として説明する。
【００３６】
（１）現場にて鉄骨柱３を地面に寝かした状態で、鉄骨柱３のボルト穴３ａに下部バンド金具５を予め装着する。（２）図４（ａ）に示されるように、当該鉄骨柱３を建物の１階柱として基礎２７上に立設する。（３）基礎２７上に１階床を構成するＡＬＣ版２８を設置する。（４）下部バンド金具５にステージ材１２を装着する。（５）作業者Ｈは、当該ステージ材１２を足場として、鉄骨柱３と梁２との接合作業を行う。（６）図４（ｂ）に示されるように、下部バンド金具５の上方にサポート材７及び上部バンド金具９を組み付け、更に上部バンド金具９にステージ材１１を取り付けて、足場構造１を構築する。作業者Ｈは、ステージ材１１を足場として、１階の鉄骨柱３と２階の鉄骨柱４との柱継ぎ作業を実行する。
【００３７】
以上、本発明の一実施形態について説明したが、本発明は、上記実施形態に限られるものではなく、各請求項に記載した要旨を変更しない範囲で変形したものであってもよい。例えば、サポート材７のピン７ｂを空隙部Ｇに挿入する構造に限られず、ピン７ｂを係合させる係合部を、下部バンド金具５及び上部バンド金具９に設けてもよい。また、サポート材７が、ボルト等で下部バンド金具５及び上部バンド金具９に固定させる構造であってもよい。また、本発明の足場構造を構築する鉄骨柱は、角形鋼管に限られず円形鋼管でもよい。また、ステージ材１２およびステージ材１１の数や位置は、図１のように二つのステージ材が対向して設置される実施形態に限定するものではなく、作業性を考慮して、例えばステージ材１２が四方向に向かって下部バンド金具５に設置されていても良い。
【００３８】
また、下部バンド金具５又は上部バンド金具９の構成に代えて、図５に示されるようなバンド金具６を採用してもよい。バンド金具６では、２つのバンド金具部品２１の両端を結合する際に、一方の結合部のみボルト２３及びナット２５で結合し、他方の結合部は鉛直軸をもつヒンジ２６で結合する。この構成によれば、ボルト２３及びナット２５を外し、ヒンジ２６を中心に２つのバンド金具部品２１を水平面上で開くことで、バンド金具６を鉄骨柱３の側方から着脱することができる。なお、図５に示すバンド金具６において、前述した上部バンド金具９及び下部バンド金具５と同一又は同等の構成要素には、図面に同一の符号を付して重複する説明を省略する。
【符号の説明】
【００３９】
１…足場構造、３…鉄骨柱、３ｄ…角部、５…下部バンド金具（受け金具）、６…バンド金具、７…サポート材、７ａ…アングル材、７ｂ…ピン（嵌合片）、９…上部バンド金具（バンド金具）、２１ａ…角部、２１…バンド金具部品(金具部品)、２３…ボルト（締結部材）、２５…ナット（締結部材）、２６…ヒンジ、Ｇ…空隙部。
【図１】
2014201952.tif 000003
【図２】
2014201952.tif 000004
【図３】
2014201952.tif 000005
【図４】
2014201952.tif 000006
【図５】
2014201952.tif 000007